(57)【特許請求の範囲】
【請求項１】
ガイド式カッティングシステムであって、
前記カッティングシステムは、ヘッド部とカバー部とを有するブレードカートリッジを具備し、
前記ヘッド部は、該ヘッド部のカット側端面と反対側の非使用側端面との間で延びている側壁を有し、
前記カッティングシステムは、
前記ブレードカートリッジを所定のパターンにおいて案内することを容易にすべくカッティングテンプレートに係合しかつ該カッティングテンプレートを辿るために、前記カット側端面から延びている案内手段と、
前記カット側端面から延びており、かつ、前記案内手段に対して離間した関係で配置されたカッティングブレードと
を具備し、
前記カバー部は、周辺エッジと端壁との間で延びている側壁を具備し、前記周辺エッジおよび前記端壁は、開放端と閉端とをそれぞれ構成し、
前記カバー部の前記側壁は、前記ヘッド部の前記側壁を収容しかつ該側壁に係合するように寸法を合わせた内側面を有し、
前記カバー部は、前記内側面が前記ヘッド部の前記側壁に係合する状態の、かつ、前記端壁が前記ヘッド部の前記非使用側端面を覆う状態の第１使用ポジションで、前記ヘッド部に取り付け可能であり、これにより、前記カバー部は、前記ブレードカートリッジをテンプレートの周囲に案内するためのハンドルとして使用するために配置され、かつ、前記カバー部は、前記内側面が前記ヘッド部の前記側壁に係合する状態の、かつ、前記端壁が前記ヘッド部の前記カット側端面を覆う状態の第２非使用ポジションで、前記ヘッド部に取り付け可能であり、これにより、前記カバー部は、前記カッティングブレードを接触から保護するように配置されることを特徴とするカッティングシステム。
【請求項２】
前記カバー部を前記第１ポジションおよび前記第２ポジションで着脱可能に固定するために、前記ヘッド部と前記カバー部とに配置された固定部材を有することを特徴とする請求項１に記載のカッティングシステム。
【請求項３】
前記固定部材は、協働タブと凹所とを具備することを特徴とする請求項２に記載のカッティングシステム。
【請求項４】
前記ヘッド部の前記側壁は、概略的に円筒形であり、かつ、一対の直径方向に対向した把持部を有し、各々の把持部は、半径方向に延びている側面を具備し、かつ、前記カバー部の前記側壁は、前記把持部を収容するために前記開放端に近接して配置された一対の直径方向に対向した溝部を有することを特徴とする請求項１に記載のカッティングシステム。
【請求項５】
前記ヘッド部の前記カット側端面と前記非使用側端面とに近接した前記把持部の対向する端部において端面を備え、かつ、前記カバー部の前記溝部は、各々が、前記周辺エッジから遠位に配置された内側エッジを有し、各々の前記内側エッジは、前記カバー部が前記ヘッド部に対して前記第１および第２ポジションにある場合に、端面に係合することを特徴とする請求項４に記載のカッティングシステム。
【請求項６】
カットすべきパターンを構成するテンプレートを有し、該テンプレートは、前記案内手段を収容するための溝を有することを特徴とする請求項１に記載のカッティングシステム。
【請求項７】
前記テンプレートは外側周辺エッジを有し、前記溝は該外側周辺エッジに近接して配置され、かつ、前記テンプレートは、前記外側周辺エッジ内に配置された該テンプレートの内側周辺エッジにより構成された開放内側領域と、前記ブレードカートリッジを前記開放内側領域内の所定経路に沿って案内すべく前記案内手段を収容するために前記内側周辺エッジに近接して配置された第２の溝とを有することを特徴とする請求項６に記載のカッティングシステム。
【請求項８】
前記ブレードカートリッジは、第１ブレードカートリッジを具備し、かつ、該第１ブレードカートリッジに関して列挙された部材と同じ部材を有する第２ブレードカートリッジを有し、
前記第２ブレードカートリッジの案内手段とカッティングブレードとの間の距離は、これに対応する前記第１ブレードカートリッジの案内手段とカッティングブレードとの間の距離よりも大きいことを特徴とする請求項６に記載のカッティングシステム。
【請求項９】
前記案内手段は、前記カット側端面から延びている一対の離間したペグを具備することを特徴とする請求項１に記載のカッティングシステム。
【請求項１０】
前記テンプレートは外側周辺エッジを有し、前記溝は該外側周辺エッジに近接して配置され、かつ、前記テンプレートは、前記外側周辺エッジ内に配置された該テンプレートの内側周辺エッジにより構成された開放内側領域と、該テンプレートの開放内側領域において基板をカットすべく前記第１及び第２ブレードカートリッジのうちの１つを案内するために前記内側周辺エッジに近接して配置された第２の溝とを有することを特徴とする請求項８に記載のカッティングシステム。
【請求項１１】
前記テンプレートは第１の材料から形成され、かつ、該テンプレートの下面は、該テンプレートと下にあるカットすべき基板との間の摩擦を増大させるために、第２の滑り止め材料からなるコーティングを有することを特徴とする請求項６に記載のカッティングシステム。
【請求項１２】
各々の前記ブレードカートリッジは、ヘッド部とカバー部とを具備し、かつ、前記カバー部を前記ヘッド部上に着脱可能に固定するための固定部材を有することを特徴とする請求項８に記載のカッティングシステム。
【請求項１３】
前記ヘッド部は、前記カット側端面を有し、かつ、反対側の非使用側端面をさらに有し、前記カバー部は、前記カット側端面および前記非使用側端面のいずれか一方を覆って取り付け可能であり、かつ、前記ハンドルを構成することを特徴とする請求項１に記載のカッティングシステム。
【請求項１４】
前記カバー部は端壁と、前記カバー部の前記端壁内に構成された一対の離間した細長い溝とを含み、該溝は、前記案内手段と前記カッティングブレードとの間の間隔に対応する距離だけ離間しており、これにより、前記溝は、前記案内手段と前記カッティングブレードとの間の間隔をユーザーに示すことを特徴とする請求項１に記載のカッティングシステム。
【請求項１５】
前記ブレードカートリッジは、第１ブレードカートリッジを具備し、かつ、該第１ブレードカートリッジに関して列挙された部材と同じ部材を有する第２ブレードカートリッジを有し、
前記第２ブレードカートリッジの案内手段とカッティングブレードとの間の距離は、これに対応する前記第１ブレードカートリッジの案内手段とカッティングブレードとの間の距離よりも大きく、かつ、第２ブレードカートリッジのカバー部上の細長い溝の間隔は、前記第２ブレードカートリッジの案内手段とカッティングブレードとの間の距離に対応することを特徴とする請求項１４に記載のカッティングシステム。
【請求項１６】
前記カッティングシステムは、さらに、
上面と下面とを有する実質的に平面のテンプレートを具備し、
前記テンプレートは、外側周辺エッジと、カッティングツールを第１所定カット経路において案内すべく該カッティングツールの一部を収容するために、前記外側周辺エッジに近接しかつ該外側周辺エッジから内側へ離間して前記上面に構成された第１の溝を有し、
前記テンプレートは、該テンプレートの内側周辺エッジにより構成された開放内側領域を有し、
前記カッティングシステムは、カッティングツールを第２所定カット経路において案内すべく該カッティングツールの一部を収容するために、前記内側周辺エッジに近接して配置されかつ該内側周辺エッジから外側へ離間して前記テンプレートの上面および下面のうちの１つに構成された第２の溝を具備することを特徴とする請求項１に記載のカッティングシステム。
【請求項１７】
前記テンプレートは第１の材料から形成され、かつ、該テンプレートの下面は、該テンプレートと下にあるカットすべき基板との間の摩擦を増大させるために、第２の滑り止め材料からなるコーティングを有することを特徴とする請求項１６に記載のカッティングシステム。
【発明の詳細な説明】
【０００１】
【発明の属する技術分野】
本発明は、概略的には、シート材をカットするためのカッティングシステム（cutting system）に関し、より詳細には、写真のスクラップブッキングの用途における使用のために、写真やマット材のようなシート材から所定の形状を切り抜くためのガイド式カッティングシステム（guided cutting system）に関する。
【０００２】
【従来の技術】
スクラップブックにおいて写真を魅力的に表示させるために、写真は、しばしば、写真の周辺領域を切り離され、かつ、写真の中央の主要被写体部分を残して、カットされるかまたは切り取られる。写真の切り取りは、その写真のための魅力的な境界領域を与え、この場合には、写真を、円形、楕円形、または波状の周辺エッジの形に切り取ることができ、さらに、写真にはマットを与えることができ、このマットは、写真の下にあり、かつ、スクラップブック上における絵の枠組みを強化するために写真のエッジを越えて延びている。通常は、このマットは、写真の周囲に均一なエッジ境界を与えるために、切り取られた写真の周辺領域を反映させるように、かつ、該周辺領域を越えて延びるように作られている。
【０００３】
切り取り工程を容易にするために、アーノルド（Arnold）に付与された米国特許第７０１，８２８号明細書（U.S. Patent No.701,828）に開示されているハサミのような（このハサミはガイドプレートを組み込んでおり、該ガイドプレートは、マットをカットするための所望のパターンにカッティングブレードを向けるために、ガイドプレート上に可動的に支持されたアームを案内するためのものである）、波状のまたは耳付きの（deckled）エッジとガイドカッターとを有する特殊なハサミを包含する種々の装置が提案されてきた。シート材において円形または楕円形をカットするための、他に知られているガイド式カッティング装置は、ベース部材（このベース部材は、旋回アームを支持しており、かつ、該アームを統制された長円形経路において案内するために横方向に向けられた２つの軸を有している）を利用するいわゆる“スコティッシュヨーク（Scottish yoke）”機構を組み込んだ装置を包含する。あるいはまた、このアームについては２つの経路間の交差点の中央位置に保持することができ、これにより、該アームを、円状に移動して旋回させることができる。このような装置の典型的な例は、ローガン（Logan）らに付与された米国特許第５，２３３，７４８号明細書と、ヒューストン（Houston）に付与された米国特許第５，５５５，６３１号明細書とに示されている。
【０００４】
楕円および円をカットするための公知の装置が、所望の形状を正確に辿るという所望の結果をもたらす一方で、このような装置は、幾つかの部品の組立を必要するという点で通常は複雑であり、かつさらに、ベースに接続されかつ該ベースから延びている細長いアームを組み込んでいるという点で便宜的な収納および搬送には概してあまり適合しておらず、これにより、これらの装置は、コンパクトな収納、スクラップブッキングに従事する人々により用いられる装備に関する所望の属性には適合していない。
【０００５】
したがって、シート材において楕円、円、および他の形状をカットすることを容易にし、かつ、コストの削減を伴って最小限の部品のみを必要とする装置が必要とされる。さらに、使用されない場合にユーザーがカッターのカット部に接触することから保護するための手段を有するカッターが設けられているような装置が必要とされる。
【０００６】
【発明が解決しようとする課題および課題を解決するための手段】
本発明によれば、第１および第２ブレードカートリッジを有するガイド式カッティングシステム提供され、各々のブレードカートリッジは、ヘッド部と、ヘッド部に着脱可能に取り付け可能なカバー部とを有する。さらに、ブレードカートリッジのうちの選択された一方を、所定のカット経路において案内するための少なくとも１つの溝を有するテンプレートが設けられ、これにより、テンプレートの下にある基板において所定のパターンがカットされる。
【０００７】
各々のブレードカートリッジのヘッド部は、カット側端面と、非使用側端面と、カット側端面と非使用側端面との間で延びている側壁とを有する。カット側端面は、ブレードホルダー内に支持されたカッティングブレードと、テンプレートの溝内に配置するための案内手段を形成する一対の離間したペグとを有する。第１ブレードカートリッジのブレードは、該第１ブレードカートリッジのガイドペグから第１所定距離の地点に配置され、第２ブレードカートリッジのブレードは、該第２ブレードカートリッジのガイドペグから第２所定距離の地点に配置され、この場合に、第２所定距離は、第１所定距離よりも大きい。これにより、第１ブレードカートリッジについては、写真内の所望の輪郭をカットするために用いることができ、第２ブレードカートリッジについては、対応する形状をマットの形でカットするために用いることができ、この場合に、マットの大きさは写真の大きさよりも大きく、これにより、本カッティングシステムは、切り取られた写真のために整合する境界線を与える。
【０００８】
カバー部は、対向する端部を構成する側壁を有し、この場合に、一方の端部における周辺エッジは開放端を構成し、かつ、他方の端部における端壁はカバー部のための閉端を有する。側壁は、ヘッド部の側壁を収容しかつ該側壁に係合するように寸法を合わせた内側面を構成する。ヘッド部およびカバー部は、カバー部がヘッド部の非使用側端面を覆って取り付け可能であるように構成され、これにより、ある人物がブレードカートリッジを把持してこれをテンプレート全域において案内するためのハンドル部が構成され、かつ、カバー部は、ブレードカートリッジが使用されない場合にカッティングブレードとの接触を防ぐためのガードを与えるために、ヘッド部のカット側端面を覆っても取り付け可能である。
【０００９】
テンプレートには、内側周辺エッジにより構成される開放内側領域を設けることができ、この場合に、第１の溝がテンプレートの外側周辺エッジに近接して設けられ、かつ、第２の溝がテンプレートの内側周辺エッジに近接して設けられる。こうして、単一のテンプレートを、ブレードカートリッジが外側周辺の周囲に案内されるのか、または、内側周辺の周囲に案内されるのかどうかに応じて、大きなまたは小さなカットを作成するために用いることができる。
【００１０】
したがって、本発明の目的は、テンプレート周囲を手で案内されることが可能なブレードカートリッジを有するガイド式カッティングシステムを提供することである。
【００１１】
本発明のさらなる目的は、ブレードを保持するヘッド部の２つの反対側の端部のいずれか一方に取り付けるためのカバー部が設けられているブレードカートリッジを提供することである。
【００１２】
本発明のさらに他の目的は、テンプレートの周辺を案内されるように、かつ、カットされているパターンに対して所定の大きさの差を設けるように適合され、かつ、類似して構成された２つのブレードカートリッジを有するガイド式カッティングシステムを提供することである。
【００１３】
本発明のさらなる目的は、開放内側領域を有し、かつ、ブレードカートリッジを案内して様々な大きさのパターンをカットするために外側周辺溝および内側周辺溝を有するテンプレートが設けられているガイド式カッティングシステムを提供することである。
【００１４】
本発明に関する他の特徴および利点は、以下の説明および添付図面から明白となる。
【００１５】
【発明の実施の形態】
図１、図２、および図１２を参照すると、本発明のガイド式カッティングシステムは、それぞれの第１および第２ブレードカートリッジ１０，１０’と、プレートカートリッジ１０，１０’を所定のカット経路において案内するためのテンプレート１２とを有している。第１および第２ブレードカートリッジ１０，１０’は、同じ構成部材によって形成されており、これらの構成部材については、特に第１ブレードカートリッジ１０を参照して説明する。ここで、第１ブレードカートリッジ１０に対応する第２ブレードカートリッジ１０’の部材は、図面全体を通して、ダッシュを付した同じ参照番号によって分類されており、かつ、以下の記載においては、第１および第２ブレードカートリッジ１０，１０’間の違いのみに特定して説明する。
【００１６】
図１、図３、および図４において見られるように、ブレードカートリッジ１０は、ヘッド部１４と、該ヘッド部１４に着脱可能に取り付けられるように構成されているカバー部１６とを具備する。ヘッド部１４は、カット側の端面１８と、非使用側の端面２０とともに形成されており、概略的に円筒形の側壁２２は、カット側端面１８と非使用側端面２０との間において軸方向に延びている。カット側端面１８は、一対の離間したガイドペグ２４，２６を有しており、これらのガイドペグ２４，２６は、カット側端面１８の表面から軸方向に延びており、これにより、テンプレートと係合する案内手段が構成され、これにより、カット工程中にブレードカートリッジ１０が案内される。カット側端面１８は、ブレードホルダー３０と該ホルダー３０内に配置されたカッティングブレード３２とを具備するアセンブリを収容するための細長いブレード開口部２８をさらに有する。カッティングブレード３２は中央点に収束する一対のカッティングエッジ３４，３６を有しており、これにより、テンプレート１２の下にある基板をカットするために、ブレードカートリッジ１０を２つの方向のいずれか一方に向けることができることを特筆しておく。
【００１７】
図５および図７を参照すると、カッティングヘッド１４が、ブレードホルダー３０およびカッティングブレード３２を適所に備えていない状態で示されており、かつ、一対の直径方向に対向した把持部３６，３８を備えているのを見ることができ、これらの把持部３６，３８は、側壁２２から外側へ半径方向に延びている突起部分を構成しており、各々の把持部３６，３８は、一対の半径方向に延びている側面４０，４２と、リブを構成している外側面５５とを有している。把持部３６，３８は、カット側端面１８および非使用側端面２０の表面と実質的に近接した対向する軸に沿った端部をさらに有している。各々の把持部３６，３８の側壁４０が、ヘッド部１４の非使用側端面２０に近接して配置された孔または凹所４４（１つのみ示されている）を有しており、かつ、各々の把持部３６，３８の側壁４２が、ヘッド部１４のカット側端面１８に近接した孔または凹所４６（１つのみ示されている）を有していることをさらに特筆しておく。
【００１８】
図５に見られるように、ガイドペグ２４，２６を通る線４８は、ヘッド部１４の直径の中心Ｃに対して離間した関係で配置されており、かつ、該直径の中心Ｃを通る二等分線５０により垂直方向に二分されている。ブレード開口部２８は、線４８から見てヘッド部１４の中心Ｃの反対側に配置されており、かつ、二等分線５０により交差され、かつ、該二等分線５０上に中心を定められている。ブレード開口部２８内に支持されたブレード３２は、線４８に対して測定を行う場合に、ガイドペグ２４，２６から所定距離Ｘの地点で支持されている。ガイドペグ２４，２６とブレード開口部２８内に支持されたブレード３２との間の距離は、ブレード３２がガイドテンプレートのエッジから配置される特定の所定距離を規定し、これにより、下にある基板に対して行うべきカットの大きさが規定される。
【００１９】
さらに図６を参照すると、第２ブレードカートリッジ１０’のためのヘッド部１４’が示されており、かつ、ガイドペグ２４’，２６’からのブレード開口部２８’の距離Ｘ’が第１ヘッド部１４に関する距離Ｘよりも大きいという点で、第１ヘッド部１４と異なっている。したがって、第２ヘッド部１４’を組み込んでいるブレードカートリッジ１０’は、ブレードカートリッジ１０，１０’を案内するために用いられるテンプレート１２のエッジからの、より大きな第２の所定距離においてカットを実行する。したがって、第１ヘッド部１４を組み込んでいるブレードカートリッジ１０については、写真の一部を切り抜くために外側周辺エッジの周囲に案内することができ、その一方で、第２ヘッド部１４’を組み込んでいるブレードカートリッジ１０’については、切り取られた写真よりも大きな周辺を有する背景マットを切り抜くために用いることができる。
【００２０】
図８〜図１１を参照すると、カバー部１６は、概略的に円筒形の側壁５２を有しており、該側壁５２は、キャップ部１６の把持を容易にする複数の外周リブ５４を有している。側壁５２は、ヘッド部１４の側壁２２を係合させるためのキャップ部１６の内側面５６を構成している。
【００２１】
前記カバー部１６の側壁５２は、カバー部１６のための開放端を構成する周辺エッジ５８を有しており、かつ、カバー部１６のための閉端を構成する端壁６０をさらに有している。一対の直径方向に対向した溝部６２，６４（図１も参照のこと）は、周辺エッジ５８から内側へ延びている。各々の溝部６２，６４は、内側エッジ６６と、対向する第１および第２側部エッジ６８，７０とを有している。内側エッジ６６は、把持部３６，３８の軸方向の端部に対して係合するように適合されており、かつ、側部エッジ６８，７０は、ヘッド部１４の側面４０，４２に対して係合するように適合されている。各々のエッジ６８は、ヘッド部１４の側面４０，４２に構成された凹所４４，４６内で係合するためのタブ７２を具備する固定部材を有しており、これにより、カバー部１６がヘッド部１４上の適所に固定される。
【００２２】
図８および図１０を参照して、ヘッド部１４，１４’と関連して用いられるキャップ１６，１６’は、端壁６０，６０’の構成以外に関しては実質的に同一であることを特筆しておく。詳細には、図８に見られるように、キャップ１６の端壁６０は、一対の離間した細長い溝６１，６３を有しており、この場合に、これらの溝６１，６３は、ブレード３２とガイドペグ２４，２６との間の間隔に対応する距離Ｘだけ離間されている。これにより、溝６１，６３は、ガイドペグ２４，２６とカッティングブレード３２との間に与えられるカット距離に関する表示をユーザーのため与え、これにより、ブレードカートリッジ１０の選択および使用が容易となる。
【００２３】
同様に、図１０に示されるカバー部１６’は、一対の離間した細長い溝６１’，６３’を有している。これらの溝６１’，６３’は、第２ヘッド部１４’のブレード３２’とガイドペグ２４’，２６’との間の距離Ｘ’に対応する距離Ｘ  ’だけ離間されている。第１カバー部１６の場合のように、第２カバー部１６’上の溝６１’，６３’は、第２ブレードカートリッジ１０’の選択および使用を容易にする表示をユーザーに与えている。
【００２４】
図１２および図１３を参照すると、楕円形のテンプレートとともに用いる場合のブレードカートリッジ１０が示されている。テンプレート１２は、開放内側領域７８を構成する外側周辺エッジ７４と内側周辺エッジ７６とを有する実質的に平面の部材として形成されている。
【００２５】
前記テンプレート１２は、上面８０と下面８２とをさらに有しており、この場合に、上面８０は、外側周辺エッジ７４に近接しかつ該外側周辺エッジ７４から内側へ離間した第１の溝８４と、内側周辺エッジ７６に近接しかつ該内側周辺エッジ７６から外側へ離間した第２の溝８６とを有している。第１の溝８４は、テンプレート１２の外側周辺部周囲にブレードカートリッジ１０を案内するための第１所定カット経路を構成しており、かつ、第２の溝８６は、テンプレート１２の開放内側領域７８内においてブレードカートリッジ１０を案内するための第２所定カット経路を構成している。
【００２６】
図１３において最も好ましく見られるように、離間したペグ２４，２６は、楕円形の第１所定カット経路において、テンプレート１２の外側周囲にブレードカートリッジ１０を案内するための溝８４内に係合している。本発明のカッティングシステムをこのように用いる場合に、第１ヘッド部１４を組み込んでいるブレードカートリッジ１０については、写真の所望部分を切り抜くために、第１カット経路８４に沿って案内することができ、かつ、第２ヘッド部１４’を組み込んでいるブレードカートリッジ１０’については、切り取られた写真とともに用いるためのより大きなサイズのマット部分を切り抜くために、第１カット経路８４に沿って案内することができる。
【００２７】
あるいはまた、ブレードカートリッジ１０，１０’については、溝８６により構成される内側の楕円経路の周囲に案内することができる。ブレードカートリッジ１０，１０’をこのように用いる場合に、ブレードカートリッジ１０’は、写真を切り取るために用いられ、その一方で、ブレードカートリッジ１０は、切り取られた写真とともに用いるためのマットを作成するために用いられる。
【００２８】
図１５を参照すると、円形のテンプレート１２ａが示されており、該テンプレート１２ａは、外側周辺エッジ７４ａに近接して配置された第１の溝８４ａを有しており、かつ、開放内側領域７８ａを構成する内側周辺エッジ７６ａに近接して配置された第２の溝８６ａを有している。さらに、開放内側領域７８ａ内に構成されたカット経路を辿るために第２の溝８６ａ上の適所に配されたブレードカートリッジ１０が示されている。
【００２９】
図１６を参照すると、本発明のブレードカートリッジ１０，１０’とともに用いるためのさらなるテンプレート１２ｂが示されている。テンプレートに関するこの実施形態において、テンプレート１２ｂには、真っ直ぐなエッジ８８が設けられており、該真っ直ぐなエッジ８８は、ブレードカートリッジ１０，１０’を案内するために該真っ直ぐなエッジ８８に近接して配置された真っ直ぐな溝９０を有している。反対側のエッジ９２は、波状形状を構成し、かつ、ブレードカートリッジ１０，１０’を案内するための対応する波状溝９４を有している。さらに、本発明のブレードカートリッジ１０，１０’を案内するために他の広範な種類の形状を設けることができることを理解すべきである。
【００３０】
図１４を参照すると、図１２および図１３のテンプレートの底面８２が示されており、かつ、別個の凹所領域８３を有しており、該凹所領域８３内には、滑り止め材料８５からなる足部またはパッドが配されている。例えば、好ましい実施形態において、テンプレート１２は、ブレードカートリッジ１０，１０’がテンプレート１２の上面８０の全域で容易に滑動することを可能にするポリカーボネート材料から形成されている。パッド８５は、ポリウレタンのような第２の滑り止め材料から形成されていることが好ましく、このことは、カットされている写真またはマットのような基板面に対してテンプレート１２が滑らないことを保証する。さらに、パッド８５は、互いに９０°だけ都合よく配置されており、これにより、テンプレート１２のデザインにしたがう任意のカット工程に関して所望される通りに該テンプレートが機能することを保証するために該テンプレートに十分な滑り止め材料８５を設ける間に必要とされる滑り止め材料８５の数が最小限となる。
【００３１】
さらに、図１５および図１６に示されるテンプレート１２ａ，１２ｂには同様の滑り止め材料８５が設けられていることを理解すべきである。さらに、図１５に示されるテンプレートには、図１４に示されるテンプレートに関して示されたのと同様の方法で、等しく離間した４つの外周上の位置にパッド８５が設けられていることを特筆しておく。
【００３２】
前述の説明から、本発明のカバー部１６が、ヘッド部１４と協働して２つの機能を実行していることが明白であるべきである。すなわち、カバー部１６は、該カバー部１６が使用ポジションにおいてヘッド部１４上に取り付けられる場合には、ヘッド部１４により実行されるカッティング動作を案内するためのハンドルとして機能し、かつ、該カバー部１６が非使用ポジションにおいてヘッド部１４上にある場合には、カッティングブレード３２を覆う安全カバーとして機能する。カバー部１６の使用ポジションにおいて、カバー部１６は、把持部３６，３８が溝部６２，６４内に配される状態で、かつ、カバー部１６のタブ７２が凹所４４と係合する状態で、ヘッド部１４の端面２２を覆って取り付けられ、これにより、カバー部１６が、ヘッド部１４上に適所に決定的に保持される。
【００３３】
あるいはまた、カバー部１６の非使用ポジションにおいて、カバー部１６は、把持部３６，３８が溝部６２，６４と係合する状態で、ヘッド部１４の端面１８を覆って取り付けられる。このようなカバー部１６のポジションにおいて、カバー部１６のタブ７２は、ヘッド部１４の端面１８に近接した凹所４６と係合し、これにより、カバー部１６が、ヘッド部１４を覆って適所に決定的に固定される。
【００３４】
さらに、リブ５４をカバー部１６の周囲に設けることにより、かつ、対応するリブ５５を把持部３６，３８に設けることにより、ブレードカートリッジ１０には、カット工程において該ブレードカートリッジ１０の把持を容易にするための好都合な把持面が設けられることを特筆しておく。さらに、ヘッド部１４の端面１８，２０に対してカバー部１６のポジションを変更するためにユーザーがカバー部１６とヘッド部１４とを分離することを所望する場合に、リブ５４，５５は、これら２つの部分をつかむことを容易にする。
【００３５】
これにより、本発明のブレードカートリッジは、該ブレードカートリッジのためのカバー部１６が、ブレードカートリッジの使用中にはハンドルを形成し、かつ、非使用時にはブレードカートリッジのブレードに接触することを防ぐための安全カバーを形成するという２つの機能を実行する簡単な構造をもたらす。
【００３６】
さらに、本発明は、第１および第２ブレードカートリッジのセットを都合よく提供し、この場合に、これらのカートリッジは、ガイドテンプレートとともに使用可能であり、かつ、様々な所定のカット境界線を提供し、これにより、一方のブレードカートリッジは、切り取られた写真を与えることができ、かつ、他方のブレードカートリッジは、該切り取られた写真のためのマットを与えることができる。さらに、様々なカッティングパターンを規定するために様々なテンプレートを提供することができ、かつ、これらのテンプレートには、ブレードカートリッジのための複数の案内経路を単一のテンプレート上に供給するための内側および外側のカット周縁部を設けることができる。
【００３７】
本明細書において説明された装置の形式が本発明の好ましい実施形態を構成する一方で、本発明はこれと寸分違わない装置の形式に制約されるものではなく、かつ、添付の請求項において定義される本発明の範囲から逸脱することなく変更を行うことができることを理解すべきである。
【図面の簡単な説明】
【図１】   本発明のカッティングシステムを案内するための第１ブレードカートリッジの分解斜視図である。
【図２】   本発明のカッティングシステムを案内するための第２ブレードカートリッジの分解斜視図である。
【図３】   使用形態での第１ブレードカートリッジの側面図である。
【図４】   非使用形態での第１ブレードカートリッジの側面図である。
【図５】   カッティングブレードが除去された第１ブレードカートリッジのヘッド部の底部平面図である。
【図６】   カッティングブレードが除去された第２ブレードカートリッジのヘッド部の底部平面図である。
【図７】   第１ブレードカートリッジのヘッド部の側面図である。
【図８】   第１ブレードカートリッジのカバー部の斜視図である。
【図９】   図８のカバー部の底部平面図である。
【図１０】   第２ブレードカートリッジのカバー部の斜視図である。
【図１１】   図１０のカバー部の底部平面図である。
【図１２】   楕円形のテンプレートの外側周辺経路に沿って使用するために適所にある第１ブレードカートリッジの斜視図である。
【図１３】   図１２のテンプレートの断面図である。
【図１４】   図１２のテンプレートの底部平面図である。
【図１５】   円形のテンプレートの内側周辺経路に沿って使用するために適所にある第１ブレードカートリッジの斜視図である。
【図１６】   真っ直ぐなエッジおよび波状のエッジをカットするための代替的テンプレートの平面図である。
【符号の説明】
１０  ブレードカートリッジ
１２，１２ａ，１２ｂ  テンプレート
１４  ヘッド部
１６    カバー部
１８  カット側端面
２０  非使用側端面
２２  側壁
２４，２６  ガイドペグ
２８  ブレード開口部
３０  ブレードホルダー
３２  カッティングブレード
３４  カッティングエッジ
３６，３８  把持部
４０，４２  側面
４４，４６  凹所
４８  線
５０  二等分線
５２  側壁
５４，５５  リブ
５６  内側面
５８  周辺エッジ
６０  端壁
６１，６３  溝
６２，６４  溝部
６６  内側エッジ
６８，７０  側部エッジ
７２  タブ
７４，７４ａ  外側周辺エッジ
７６，７６ａ  内側周辺エッジ
７８，７８ａ  開放内側領域
８０  上面
８２  下面
８３  凹所領域
８４，８６，８４ａ，８６ａ  溝
８５  滑り止め材料
８８  真っ直ぐなエッジ
９０  真っ直ぐな溝
９２  エッジ
９４  波状溝
【図１】
0004664510.tif 000002
【図２】
0004664510.tif 000003
【図３】
0004664510.tif 000004
【図４】
0004664510.tif 000005
【図５】
0004664510.tif 000006
【図６】
0004664510.tif 000007
【図７】
0004664510.tif 000008
【図８】
0004664510.tif 000009
【図９】
0004664510.tif 000010
【図１０】
0004664510.tif 000011
【図１１】
0004664510.tif 000012
【図１３】
0004664510.tif 000013
【図１２】
0004664510.tif 000014
【図１４】
0004664510.tif 000015
【図１５】
0004664510.tif 000016
【図１６】
0004664510.tif 000017